(57)【特許請求の範囲】
【請求項１】
平坦なアンテナ基板を前カバーと後カバーにより包囲して形成される平面アンテナ装置において、上記前カバーは、後側が開口した箱型に形成され、その外周縁に起立した周壁の内側には、上記周壁を貫通して複数の呼吸穴が設けられており、その呼吸穴のいずれか１つ或いは一組は、上記平面アンテナ装置を縦向きに設置した状態で上記前カバーの最下位部に位置し、かつ上記平面アンテナ装置を横向きに設置した状態で当該呼吸穴の外側開口部が下方を向くように傾斜して形成され、他の一つ或いは一組の呼吸穴は、上記平面アンテナ装置を縦向きに設置した状態で当該呼吸穴の外側開口部が下方を向くように傾斜し、かつ上記平面アンテナを横向きに設置した状態で上記前カバーの最下位部に位置するように形成されていることを特徴とする平面アンテナ装置。
【請求項２】
上記前カバーの周壁の内側には上記後カバーを取り付ける後カバー載置棚部が設けられ、この後カバー載置棚部には、環状にシールリング溝が設けられ、このシールリング溝には環状シールリングが装着される請求項１記載の平面アンテナ装置。
【請求項３】
上記呼吸穴の内側開口部に、その呼吸穴に対向して設けられた隔壁で区画された緩衝空間が設けられている請求項１又は２記載の平面アンテナ装置。
【請求項４】
平坦なアンテナ基板を包囲するように形成された前カバーと後カバーを備えたアンテナカバーにおいて、上記前カバーは、後側が開口した箱型に形成され、その外周縁に起立した周壁の内側には、上記周壁を貫通して複数の呼吸穴が設けられており、その呼吸穴のいずれか１つ或いは一組は、上記平面アンテナ装置を縦向きに設置した状態で上記前カバーの最下位部に位置し、かつ上記平面アンテナ装置を横向きに設置した状態で当該呼吸穴の外側開口部が下方を向くように傾斜して形成され、他の一つ或いは一組の呼吸穴は、上記平面アンテナ装置を縦向きに設置した状態で当該呼吸穴の外側開口部が下方を向くように傾斜し、かつ上記平面アンテナを横向きに設置した状態で上記前カバーの最下位部に位置するように形成されていることを特徴とするアンテナカバー。
【請求項５】
上記前カバーの周壁の内側には上記後カバーを取り付ける後カバー載置棚部が設けられ、この後カバー載置棚部には、環状にシールリング溝が設けられ、このシールリング溝には環状シールリングが装着される請求項４記載のアンテナカバー。
【請求項６】
上記呼吸穴の内側開口部に、その呼吸穴に対向して設けられた隔壁で区画された緩衝空間が設けられている請求項４又は５記載のアンテナカバー。
【発明の詳細な説明】
【０００１】
【発明の属する技術分野】
本発明は、平面アンテナ装置及びそれに用いるアンテナカバーに関するものである。
【０００２】
【従来の技術】
電波を送受信するために使用する平面アンテナ装置は、印刷配線基板の表面に多数のアンテナ素子を並べて印刷配線したアンテナ基板を備えており、屋外に設置しての使用状態におけるアンテナ基板の劣化を防止するために、このアンテナ基板をアンテナカバーによって覆うことによって風雨から隔離して保護するように構成されている。
【０００３】
【発明が解決しようとする課題】
アンテナ基板の保護機能を高めるためには、アンテナカバーは、このアンテナ基板を外気から遮断するように気密状態に包囲することが望ましい。
【０００４】
しかしながら、アンテナカバーの気密度を高めると、内部に封じ込められた空気が温度の昇降に伴なって膨張・収縮するために、アンテナカバー内の圧力が昇降してアンテナカバーやその他の部品の変形や破損を引き起こしてしまう問題がある。
【０００５】
また、アンテナカバー内の圧力の昇降を緩和するためにアンテナカバーに呼吸穴を設けると、屋外の風雨に晒される環境に設置されたときに、雨水がこの呼吸穴からアンテナカバー内に浸入して内部のアンテナ基板やその他の部品を劣化させる原因となってしまう。
【０００６】
平面アンテナ装置は、縦向きまたは横向きで設置されるため、例えば縦向きの状態で呼吸穴を最下位部に下向きに設けると、平面アンテナ装置を横向きに設置した場合、呼吸穴は側面に位置し、横向きに開口する状態となり、雨水が浸入し易い状態になってしまう。
【０００７】
そして、浸入した雨水は、排水手段がないためアンテナカバー内の下方に流れ込んで蓄積されることになり、アンテナ基板やその他の部品を劣化させる原因となってしまう。
【０００８】
そこで、本発明の目的は、上記課題を解決し、アンテナカバー内部を外気に連通させて内部の圧力の昇降を抑制すると共に、雨水の浸入も抑制することができる簡単な構成の平面アンテナ装置及びそれに用いるアンテナカバーを提供することにある。
【０００９】
【課題を解決するための手段】
上記目的を達成するために、請求項１の発明は、平坦なアンテナ基板を前カバーと後カバーにより包囲して形成される平面アンテナ装置において、上記前カバーは、後側が開口した箱型に形成され、その外周縁に起立した周壁の内側には、上記周壁を貫通して複数の呼吸穴が設けられており、その呼吸穴のいずれか１つ或いは一組は、上記平面アンテナ装置を縦向きに設置した状態で上記前カバーの最下位部に位置し、かつ上記平面アンテナ装置を横向きに設置した状態で当該呼吸穴の外側開口部が下方を向くように傾斜して形成され、他の一つ或いは一組の呼吸穴は、上記平面アンテナ装置を縦向きに設置した状態で当該呼吸穴の外側開口部が下方を向くように傾斜し、かつ上記平面アンテナを横向きに設置した状態で上記前カバーの最下位部に位置するように形成されていることを特徴とする平面アンテナ装置である。
【００１０】
請求項２の発明は、上記前カバーの周壁の内側には上記後カバーを取り付ける後カバー載置棚部が設けられ、この後カバー載置棚部には、環状にシールリング溝が設けられ、このシールリング溝には環状シールリングが装着される請求項１記載の平面アンテナ装置である。
【００１１】
請求項３の発明は、上記呼吸穴の内側開口部に、その呼吸穴に対向して設けられた隔壁で区画された緩衝空間が設けられている請求項１又は２記載の平面アンテナ装置である。
【００１２】
請求項４の発明は、平坦なアンテナ基板を包囲するように形成された前カバーと後カバーを備えたアンテナカバーにおいて、上記前カバーは、後側が開口した箱型に形成され、その外周縁に起立した周壁の内側には、上記周壁を貫通して複数の呼吸穴が設けられており、その呼吸穴のいずれか１つ或いは一組は、上記平面アンテナ装置を縦向きに設置した状態で上記前カバーの最下位部に位置し、かつ上記平面アンテナ装置を横向きに設置した状態で当該呼吸穴の外側開口部が下方を向くように傾斜して形成され、他の一つ或いは一組の呼吸穴は、上記平面アンテナ装置を縦向きに設置した状態で当該呼吸穴の外側開口部が下方を向くように傾斜し、かつ上記平面アンテナを横向きに設置した状態で上記前カバーの最下位部に位置するように形成されていることを特徴とするアンテナカバーである。
【００１３】
請求項５の発明は、上記前カバーの周壁の内側には上記後カバーを取り付ける後カバー載置棚部が設けられ、この後カバー載置棚部には、環状にシールリング溝が設けられ、このシールリング溝には環状シールリングが装着される請求項４記載のアンテナカバーである。
【００１４】
請求項６の発明は、上記呼吸穴の内側開口部に、その呼吸穴に対向して設けられた隔壁で区画された緩衝空間が設けられている請求項４又は５記載のアンテナカバーである。
【００１５】
【発明の実施の形態】
以下、本発明の一実施の形態を添付図面に基づいて説明する。
【００１６】
図１は本発明のアンテナ装置の組立分解斜視図であり、図２はアンテナカバーを構成する前カバーの内側面を示す正面図、図３は図２におけるＡ−Ａ断面図、図４は図２に示した前カバーにおける呼吸穴形成部分の拡大図、図５は図４におけるＢ−Ｂ断面図である。
【００１７】
図１に示すように、平面アンテナ装置１は、アンテナ基板２を前カバー３と後カバー４によって包囲してアンテナ基板２を風雨から保護するように形成される。
【００１８】
前カバー３は、樹脂（ＦＲＰ，ＡＢＳ等）によって、極薄い各角部が丸みをもった四角形で、その外周縁に起立した周壁３ａを備えて、後面側が開口した箱型に形成される。
【００１９】
アンテナ基板２は、平坦な絶縁基板２ｂ上に、印刷配線により多数のアンテナ素子２ａが並設され、その中心部にはアンテナ基板２を貫通して接続端子５が設けられ、周縁部には後カバー４へ、アンテナ基板２を取り付けるための取付け穴６が設けられている。
【００２０】
後カバー４は、アルミニウム板によって形成された平板であり、その中心部にはコネクタ７を取り付けるためのコネクタ取付け穴８が設けられている。
【００２１】
この平面アンテナ装置１の組立ては、まず、アンテナ基板２の中心部に設けられたコネクタ取付け穴８にコネクタ７をシール部材９を介して嵌着した後、アンテナ基板２を取付け穴６を用いて、後カバー４の内側面にネジ止めして取り付け、後カバー４のコネクタ取付け穴８に嵌着されているコネクタ７の内側とアンテナ基板２に設けられた接続端子５を接続する。
【００２２】
その後、アンテナ基板２が取り付けられた後カバー４を、アンテナ基板２を内側に向けて、前カバー３の周壁３ａの内側に設けられている、後述する後カバー載置棚部１５に載置してネジ止めにより取り付ける構成になっている。
【００２３】
また、前カバー３と後カバー４の接触面はシールリング１０により気密性が確保されるようになっている。
【００２４】
ここで、本発明の要旨である前カバー３について、図２〜５を用いて説明する。
【００２５】
前述したように前カバー３は、後面側が開口した箱型に形成され、その後面側の外周縁に起立した周壁３ａの内側には後カバー４を載置して取り付けるための後カバー載置棚部１５が形成され、その後カバー載置棚部１５の後カバー載置面には、前カバー３と後カバー４の気密性を確保するためのシールリング１０を装着するシールリング溝１６が設けられ、更に、シールリング溝１６の外側には後カバー４を取り付けるための後カバー取付けネジ穴１７が設けられている。
【００２６】
この前カバー３の周壁３ａには、周壁３ａを貫通して両アンテナカバー３，４の内外を連通する２つの呼吸穴１８，１９が設けられている。
【００２７】
この１つの呼吸穴１８は、平面アンテナ装置１を縦向き（図２において矢印Ｖ方向）に設置した状態では、前カバー３の最下位部に位置すると共に、平面アンテナ装置１を横向き（図２において矢印Ｈ方向）に設置した状態では、側面に位置して呼吸穴１８の外側開口部１８ａが下方を向くように傾斜させて形成され、他の１つの呼吸穴１９は平面アンテナ装置１を縦向き（図２において矢印Ｖ方向）に設置した状態では、前カバー３の側面に位置して呼吸穴１９の外側開口部１９ａが下方を向くように傾斜すると共に、平面アンテナ装置１を横向き（図２において矢印Ｈ方向）に設置した状態では、前カバー３の最下位部に位置するように形成される。
【００２８】
つまり、平面アンテナ装置１を縦向き・横向きどちらの状態で設置しても呼吸穴１８または呼吸穴１９のいずれかが前カバー３の最下位部に位置し、他の呼吸穴は、側面に位置して、その外側開口部が下方を向くように形成される。
【００２９】
この呼吸穴１８，１９は、前カバー３を射出成形するときに、分割した鋳型の一つに２本のピンを設けることで簡単に成形することができるように、図２に示すように、縦向き・横向きのいずれの状態でも下側に位置する角部で、４５度に傾斜した平行な穴にすると良い。
【００３０】
また、呼吸穴１８，１９の内側開口部１８ｂ，１９ｂには、後カバー載置棚１５のカバー載置面と同じ高さの隔壁２０が、呼吸穴１８、１９に対向して後カバー載置棚１５から連なるように起立されて緩衝空間２５が形成されている。
【００３１】
このように構成した平面アンテナ装置１は、図２に矢印Ｖで示すように縦向きに設置した状態では、呼吸穴１８がアンテナカバーの下側の最下位部の位置で下向きに開口し、呼吸穴１９は、アンテナカバーの側面に位置し、その外側開口部１９ａが下方を向くため、雨水が呼吸穴１８からアンテナカバー内に浸入することはなく、また、呼吸穴１９からの浸入も抑制することができる。
【００３２】
万一、両アンテナカバー３，４内に雨水が浸入した場合でも、雨水は隔壁２０によって両アンテナカバー３，４内部への拡散が制限され、最下位部に下向きに位置している呼吸穴１８から外部に排出されるため、雨水が内部に蓄積されることがない。
【００３３】
そして、アンテナ装置を図２に矢印Ｈで示したように横向きに設置した状態では、呼吸穴１９がアンテナカバーの下側の最下位部の位置で下向きに開口し、呼吸穴１８は、アンテナカバーの側面に位置し、その外側開口部１８ａが下方を向くため、縦向きに設置した場合と同様に雨水の浸入を防止でき、万一浸入した雨水も排出することができる。
【００３４】
更に、両アンテナカバー３，４の内外は、呼吸穴１８，１９および隔壁２０と後カバー３の当接面を通して呼吸することができるので、温度の変化に伴なう両アンテナカバー３，４内の圧力の昇降を抑制することができる。
【００３５】
また、本実施の形態では呼吸穴を２つとしたが、呼吸穴を複数個、２組に設けて、平面アンテナ装置１を縦向き・横向きどちらの状態で設置してもいずれか一組の呼吸穴がアンテナ装置の最下位部に位置し、他の組の呼吸穴はその呼吸穴の外側開口部が下方を向くように形成してもよい。
【００３６】
図６、図７を用いて他の実施の形態を説明する。
【００３７】
図６に示した形態では、前カバー２６は直線的な傾斜辺で結ばれた多角形に形成され、その一つの傾斜辺２７の両端部に呼吸穴２８，２９が、前カバー２６を縦向き（図中矢印Ｖ方向）および横向き（図中矢印Ｈ方向）どちらの状態で設置してもいずれかの呼吸穴がアンテナ装置の最下位部に位置し、他の呼吸穴はその外側開口部が下方を向くように形成される。
【００３８】
また、図７に示した形態では、前カバー２８は丸い箱型に形成され、呼吸穴２９，３０は、縦向き（図中矢印Ｖ方向）および横向き（図中矢印Ｈ方向）どちらの状態で設置してもいずれかの呼吸穴がアンテナ装置の最下位部に位置し、他の呼吸穴はその外側開口部が下方を向くように設ければ良い。
【００３９】
このように、２つの呼吸穴２９，３０は、接近させて設ける必要はなく、縦向き又は横向きに設置された状態でいずれかの呼吸穴がアンテナ装置の最下位部に位置し、他の呼吸穴はその外側開口部が下方を向くように形成されれば良い。
【００４０】
また、呼吸穴の内径や傾斜角度も任意に設定することができるものである。
【００４１】
【発明の効果】
以上要するに本発明によれば、平面アンテナ装置を縦向き・横向きどちらの状態で設置してもいずれかの呼吸穴が平面アンテナ装置の最下位部に位置し、他の呼吸穴はその外側開口部が下方を向くように形成されるため、雨水の浸入を抑制できると共に、万一浸入した雨水を排出することができ、更に、両アンテナカバー内外が呼吸穴により連通してるため、両アンテナカバー内部の圧力の昇降を防止することが可能である。
【００４２】
また、呼吸穴は、前カバーを樹脂で成形するときに、抜き型によって簡単に形成することができる。
【図面の簡単な説明】
【図１】本発明の一実施の形態を示す平面アンテナ装置の分解斜視図である。
【図２】本発明における前カバーの内側面を示す正面図である。
【図３】図２におけるＡ−Ａ断面図である。
【図４】図２に示した前カバーにおける呼吸穴形成部分の拡大図である。
【図５】図４におけるＢ−Ｂ断面図である。
【図６】本発明の他の実施の形態における前カバーの内側面を示す正面図である。
【図７】本発明の他の実施の形態における前カバーの内側面を示す正面図である。
【符号の説明】
１  平面アンテナ装置
３  前カバー
４  後カバー
１５  後カバー載置棚部
１８，１９  呼吸穴
２５  緩衝空間
【図１】
0003589104.tif 000002
【図２】
0003589104.tif 000003
【図３】
0003589104.tif 000004
【図４】
0003589104.tif 000005
【図５】
0003589104.tif 000006
【図６】
0003589104.tif 000007
【図７】
0003589104.tif 000008